(57)【特許請求の範囲】
【請求項１】
映像が表示される表示部と、ユーザからの入力を受け付ける入力部と、前記表示部への映像の表示を制御する制御部と、外部装置と接続するための接続端子と、該接続端子のデータと画像データを記憶する記憶部と、を備えた映像装置であって、
前記制御部は、ユーザからの前記入力部への所定の入力によって、前記記憶部から前記接続端子のデータと前記画像データを読み出し、当該映像装置に搭載された前記接続端子の一覧を前記表示部に表示し、前記入力部により選択された接続端子の装置における位置を示す映像、該位置を示す映像の、前記選択された接続端子を含む部分の拡大映像および前記選択された接続端子の差し込み口の形状を示す映像を前記表示部に表示し、
前記拡大映像は、該拡大映像に含まれる接続端子のうち前記選択された接続端子を枠で囲んだものであることを特徴とする映像装置。
【請求項２】
前記入力部により選択された接続端子の装置における位置を示す映像は、前記選択された接続端子の当該映像装置における位置を枠で囲んだものであることを特徴とする請求項１に記載の映像装置。
【請求項３】
前記制御部は、前記入力部により選択された接続端子の装置における位置を示す映像、前記拡大映像および前記差し込み口の形状を示す映像を前記表示部に表示する際、前記接続端子の一覧の表示を消すことを特徴とする請求項１または２に記載の映像装置。
【発明の詳細な説明】
【技術分野】
【０００１】
本発明は、映像装置に関し、特に、外部接続用の接続端子を備えた映像装置に好適な映像装置に関する。
【背景技術】
【０００２】
近年のカムコーダやテレビ受像機といった映像装置には、外部装置と接続するため、例えば、ＨＤＭＩケーブルやＵＳＢケーブルなどのケーブルを接続するための接続端子が配設されている。例えば、カムコーダ１は、図１に示すように、テレビ受像機２とＨＤＭＩケーブル３を用いて接続することにより、撮影した映像や写真をテレビ受像機２で再生することができる。
【０００３】
ところがカムコーダやテレビ受像機は、装置により接続端子の差し込み口が装置の背面に配置されている場合や、装置の上部、側部等の複数箇所に散らばって配設されていることがあり、ユーザが所望の接続端子を探そうとしても容易に見つからない場合があった。
【０００４】
ユーザが所望の接続端子の位置を特定する提案として、例えば、特許文献１に係る映像装置では、映像装置の表示画面の周縁部において接続端子の配設位置に対応した位置に矩形状の表示マークを表示させ、ユーザが接続端子の位置を特定できるようにしている。
【０００５】
また、特許文献２に係る映像装置では、取り扱い説明書の内容を映像装置にデータとして記憶させている。そして、映像装置は、ユーザが接続端子を探す際に、取り扱い説明書の内容を表示画面に表示させ、ユーザが取扱説明書を参照しながら接続端子の位置を特定するようにしている。
【先行技術文献】
【特許文献】
【０００６】
【特許文献１】特開２００７−２６７００２号公報
【特許文献２】特開２００８−８５９４０号公報
【発明の概要】
【発明が解決しようとする課題】
【０００７】
しかしながら、特許文献１に係る映像装置では、接続端子の大まかな位置を把握することができるが、接続端子は複数並んでいるのが一般的であり、接続端子が複数並んだうちから所望の接続端子の位置を特定することが困難だった。また、映像装置は、接続端子が表示画面の周囲だけでなく、背面にも配設されているため、前面の表示画面に表示マークを表示させるだけでは背面の接続端子の位置を十分に指し示せていなかった。
【０００８】
また、特許文献２に係る映像装置では、記憶された取扱説明書のデータから所望の外部接続端子の位置が記載されている頁を探すのに手間がかかった。また、外部接続端子の配置図の頁が容易に開いたとしても、その中からあまり馴染みのないプロトコル名をもつ所望の接続端子の位置を特定するのが困難であった。
【０００９】
本発明は、上述した実状に鑑みてなされたもので、ユーザが馴染みのないプロトコル名の接続端子でも容易にその位置を特定できる映像装置を提供することを目的とする。
【課題を解決するための手段】
【００１０】
上記課題を解決するために、本発明の第１の技術手段は、映像が表示される表示部と、ユーザからの入力を受け付ける入力部と、前記表示部への映像の表示を制御する制御部と、外部装置と接続するための接続端子と、該接続端子のデータと画像データを記憶する記憶部と、を備えた映像装置において、前記制御部は、ユーザからの前記入力部への所定の入力によって、前記記憶部から前記接続端子のデータと前記画像データを読み出し、当該映像装置に搭載された前記接続端子の一覧を前記表示部に表示し、前記入力部により選択された接続端子の装置における位置を示す映像、該位置を示す映像の、前記選択された接続端子を含む部分の拡大映像および前記選択された接続端子の差し込み口の形状を示す映像を前記表示部に表示し、前記拡大映像が、該拡大映像に含まれる接続端子のうち前記選択された接続端子を枠で囲んだものであることを特徴としている。
【００１１】
第２の技術手段は、第１の技術手段において、前記入力部により選択された接続端子の装置における位置を示す映像は、前記選択された接続端子の当該映像装置における位置を枠で囲んだものであることを特徴としている。
【００１２】
第３の技術手段は、第１又は２の技術手段において、前記制御部が、前記入力部により選択された接続端子の装置における位置を示す映像、前記拡大映像および前記差し込み口の形状を示す映像を前記表示部に表示する際、前記接続端子の一覧の表示を消すことを特徴としている。
【発明の効果】
【００１３】
本発明に係る映像装置によれば、制御部が映像装置に搭載されている接続端子の一覧と選択された接続端子の位置と差し込み口の形状等を表示部に表示することにより、ユーザが馴染みのないプロトコル名を持つ外部接続端子でも差し込み口の形状等から容易にその位置を把握できる。
【図面の簡単な説明】
【００１４】
【図１】カムコーダとテレビ受像機ＨＤＭＩケーブルで接続する様子を示した図である。
【図２】カムコーダの外観斜視図である。
【図３】カムコーダの機能ブロック図である。
【図４】端子位置確認機能の外部接続端子一覧画面を示すものである。
【図５】外部接続端子一覧画面で所望の接続端子が選択された様子を示す図である。
【図６】端子位置確認機能部の処理フローを示す図である。
【図７】テレビ受像機の外観斜視図である。
【図８】テレビ受像機の機能ブロック図である。
【図９】外部接続端子一覧画面において、ＨＤＭＩが選択された状態を示す図である。
【図１０】外部接続端子一覧画面において、Ｓ２映像端子が選択された状態を示す図である。
【図１１】制御部の端子位置確認機能の処理フローを示す図である。
【発明を実施するための形態】
【００１５】
図２及び図３を参照して、第１の実施形態に係る映像装置を説明する。映像装置は、例えば、カムコーダ１である。図２は、カムコーダの外観斜視図である。図３は、カムコーダの機能ブロック図である。
カムコーダ１は、図２及び図３に示すように、レンズ制御部１２と、撮像部１３と、表示部１４と、入力部１５と、記憶部１６と、接続端子部１７と、制御部１８と、を有している。
【００１６】
レンズ制御部１２は、例えば、レンズ１２ａ、絞り、及びシャッタ等の光学素子を有し、焦点位置や露出の調整を行う。そして、レンズ制御部１２は、撮像時に外部より入射された光を透過させ、撮像部１３にその光を供給する。
撮像部１３は、例えば、ＣＣＤ等の光学素子を有し、レンズ制御部１２を介して供給された入射光を電子データ化し、撮像画像の画像データを生成する。
【００１７】
表示部１４は、例えば、有機ＥＬディスプレイによって構成され、撮像部１３によって生成された画像データの画像やメニュー画面等が表示される。
入力部１５は、ボタン等により構成され、ユーザからの入力を受け付ける。入力部１５は、選択キーと、確定キーと、戻るキーと、終了キーと、電源キー１５ａとを有している。
【００１８】
選択キーは、例えば、表示部１４に表示されたリスト上でカーソルを移動させて項目を選択する。確定キーは、選択キーによりカーソル移動された項目の選択を確定する。戻るキーは、表示部１４に表示された画面遷移のある画面で前の画面へ戻る。終了キーは、表示部１４に表示されている機能を終了させる。電源キー１５ａは、カムコーダ１の電源のＯＮ・ＯＦＦを行う。なお、入力部１５は、表示部１４と兼用させタッチパネルを使用しても良い。
【００１９】
記憶部１６は、種々のデータを記憶する記憶媒体である。記憶部１６は、撮像部１３によって生成された画像データ、接続端子の位置データ等の各種情報、各接続端子を表示するためのカムコーダ１の画像データ、各接続端子の差し込み口の形状の画像データ等を記憶する。記憶部１６は、例えば、ハードディスク、ＤＶＤ等により構成される。
【００２０】
接続端子部１７は、外部装置と入出力を行うためケーブルを接続するための接続端子であり、例えば、ＨＤＭＩケーブル、ＵＳＢケーブル等といったケーブル、マイクやヘッドホンを接続するための接続端子を複数有している。
【００２１】
制御部１８は、映像装置の各部の動作を制御する。制御部１８は、例えば、ＣＰＵ、ＲＯＭ、及びＲＡＭ等を有している。制御部１８は、ＣＰＵがＲＯＭより読み出したプログラムやデータをＲＡＭにロードし、実行することによりカムコーダ１の各部の機能を実現する一種のコンピューターである。
【００２２】
また、制御部１８は、端子位置をガイドする端子位置確認機能を有する。図４及び図５を参照して、制御部１８の端子位置確認機能を説明する。図４は、端子位置確認機能の端子位置確認画面を示すものである。図５は、端子位置確認画面で所望の接続端子が選択されて確定された様子を示す図である。
【００２３】
制御部１８の端子位置確認機能は、例えば、カムコーダ１のメニュー画面で端子位置確認機能が入力部１５の選択キーによって選択（入力部への所定の入力）されると起動され、記憶部１６から接続端子のデータと画像データを読み出し、図４で示すように、端子位置確認画面１９を表示部１４に表示させる。端子位置確認画面１９は、接続端子の一覧を表示させるとともに選択されている接続端子の大まかな位置が把握できるアングルでカムコーダ１の外観を示す映像を表示させる。このとき、選択された接続端子は、大まかな位置が特定できるように、図示するような枠で囲まれる。
【００２４】
そして、制御部１８は、接続端子の一覧のうち所望の接続端子が入力部１５の選択キーにより選択され決定キーにより決定されると（ここでは、例えば、ＨＤＭＩが選択されて決定された例で説明する。）、図５に示すように、端子位置確認画面１９から接続端子の一覧を消し、ＨＤＭＩ（選択された接続端子）の大まかな位置の拡大画面を同じ画面の中に表示してＨＤＭＩの詳細な配置位置を示す映像を表示部１４に表示させるとともに、更にＨＤＭＩの差し込み口の拡大画面をも表示して差し込み口の形状を示す映像を表示部１４に表示させる。すなわち、制御部１８は、接続端子の差し込み口の形状をカムコーダ１の外観の位置に関連付けて表示する。なお、制御部１８の端子位置確認機能は、入力部１５の終了キーが押下されるとその機能が終了される。
【００２５】
図６を参照して、制御部１８の端子位置確認機能の処理フローを説明する。図６は、制御部の端子位置確認機能の処理フローを示す図である。制御部１８の端子位置確認機能は、起動されると、端子位置確認画面１９を表示部１４に表示させるとともに選択されている接続端子の大まかな位置を表示する（ステップＳ１）。そして、制御部１８は、選択キーにより選択された接続端子が変化すると、選択キーにより選択された接続端子の大まかな位置を表示し（ステップＳ２）、確定キーが押下されると（ステップＳ３）、確定された接続端子の詳細な配置位置を示す映像及び差し込み口の形状を示す映像を表示部１４に表示（ステップＳ４）し、ステップＳ５へ進む。
【００２６】
ステップＳ３において、確定キー押下でない場合は、再びステップＳ２へ戻る。
ステップＳ５では、戻るキーが押下されたか否かが判定され、戻るキーが押下された場合は、再びステップＳ２へ戻る。戻るキー押下でない場合は、再び、ステップＳ５へ戻る。
【００２７】
以上に説明したカムコーダ１によれば、制御部１８が接続端子の差し込み口の形状をカムコーダ１の外観の位置に関連付けて表示するため、例えユーザに馴染みがなく差し込み口の形状を知らないプロトコルの接続端子でも容易にその位置を特定することができる。
【００２８】
図７及び図８を参照して、第２の実施形態に係る映像装置をテレビ受像機２で説明する。図７は、テレビ受像機の外観斜視図である。図８は、テレビ受像機の機能ブロック図である。
テレビ受像機２は、記憶部２２と、放送受信部２３と、表示部２４と、スピーカー部２５、入力部２６と、接続端子部２７と、制御部２８とを有している。
【００２９】
記憶部２２は、種々のデータを記憶する記憶媒体である。記憶部２２は、接続端子の位置データ等の各種情報、各接続端子を表示するためのテレビ受像機２の画像データ、各接続端子の差し込み口の形状の画像データ等を記憶する。記憶部１６は、例えば、ハードディスクにより構成される。
【００３０】
放送受信部２３は、例えば、アンテナを介してＴＶ放送信号を受信し、トランスポートストリーム（以下、ＴＳ）の復調及び、ＴＳから映像、字幕、データ放送音声、ＰＳＩ（番組特定情報）／ＳＩ（番組配列情報）、緊急警報放送起動情報等の各メディア情報をデコードする機能を有する。
【００３１】
表示部２４は、例えば、有機ＥＬディスプレイによって構成され、端子位置確認機能の画面表示や、放送受信部２３によって復調されたテレビ映像等が表示される。スピーカー部２５は、例えば、テレビ音声を出力する。
入力部２６は、ボタン等により構成され、ユーザからの入力を受け付ける。入力部２６は、例えば、選択キーと、確定キーと、戻るキーと、終了キーと、電源キーとを有している。
【００３２】
選択キーは、例えば、チャンネルの変更や、表示部２４に表示されたリスト上などでカーソルを移動させて項目を選択する。確定キーは、選択キーによりカーソル移動された項目の選択を確定する。戻るキーは、表示部２４に表示された画面遷移のある画面で前の画面へ戻る。終了キーは、表示部２４に表示されている機能を終了させる。電源キーは、テレビ受像機２の電源をＯＮ・ＯＦＦする。なお、入力部２６への入力は、リモコンを介して行っても良い。
【００３３】
接続端子部２７は、外部装置と入出力を行うケーブルを接続するための接続端子であり、例えば、ＨＤＭＩケーブル、ＵＳＢケーブル、Ｓ端子ケーブル等といったケーブルを接続するための接続端子を複数有している。
【００３４】
制御部２８は、テレビ受像機２の各部の動作を制御する。制御部２８は、例えば、ＣＰＵ、ＲＯＭ、及びＲＡＭ等を有している。制御部２８は、ＣＰＵがＲＯＭより読み出したプログラムやデータをＲＡＭにロードし、実行することによりテレビ受像機２の各部の機能を実現する一種のコンピューターである。
【００３５】
図９及び図１０を参照して、制御部２８の端子位置確認機能を説明する。図９は、端子位置確認画面において、ＨＤＭＩが選択された状態を示す図である。図１０は、端子位置確認画面において、Ｓ２映像端子が選択された状態を示す図である。
【００３６】
制御部２８の端子位置確認機能は、起動されると、図９に示すように、端子位置確認画面２９を表示部２４に表示させる。端子位置確認画面２９は、接続端子の種類の一覧を表示させるとともにテレビ受像機２の外観を表示させる。このとき、端子位置確認画面２９は、接続端子の一覧のうち先頭の接続端子（ここでは、ＨＤＭＩ）が選択され、選択されている接続端子の大まかな位置が把握できるようなアングルでテレビ受像機２の外観が表示される。
【００３７】
そして、端子位置確認画面２９では、ＨＤＭＩの接続端子の大まかな位置が把握できるように図示するように枠で囲むとともに、枠で囲まれた部分の拡大画面を同じ画面中に表示してＨＤＭＩの詳細な配置位置を表示部２４に映像として示し、更にＨＤＭＩの差し込み口の拡大画面を同じ画面中に表示して差し込み口の形状を表示部２４に映像として表示させる。すなわち、制御部２８は、選択された接続端子の差し込み口の形状をテレビ受像機２の外観の位置に関連付けて表示する。
【００３８】
そして、制御部２８は、選択キーにより、所望の接続端子（ここでは、例えば、Ｓ２映像端子）が選択されると、図１０に示すように、Ｓ２映像端子のテレビ受像機２における位置と、Ｓ２映像端子の差し込み口の形状を表示部２４に表示させる。なお、制御部２８の端子位置確認機能は、入力部２６の戻るキー又は終了キーが押下されるとその機能が終了される。
【００３９】
図１１を参照して、制御部２８の端子位置確認機能の処理フローを説明する。図１１は、制御部の端子位置確認機能の処理フローを示す図である。制御部２８の端子位置確認機能は、起動されると、端子位置確認画面２９を表示部２４に表示させるとともに、初期設定として選択された接続端子の詳細な位置と差し込み口の形状を示す映像を表示部２４に表示させる（ステップＳ２１）。そして、制御部１８は、選択キーにより選択された接続端子が変化すると、選択キーにより選択された接続端子の詳細な位置と差し込み口の形状を示す映像を表示部２４に表示させ（ステップＳ２２）、ステップＳ２３へ進む。
【００４０】
ステップＳ２３では、戻るキー又は終了キー押下に該当する場合、制御部２８の端子位置確認機能の処理を終了する。該当しない場合は、再びステップＳ２２へ戻る。
以上に説明したテレビ受像機２によれば、制御部２８の端子位置確認機能が接続端子の差し込み口の形状をテレビ受像機２の外観の位置に関連付けて表示するため、例え、ユーザに馴染みがなく差し込み口の形状を知らないプロトコルの接続端子でも容易にその位置を特定することができる。
【符号の説明】
【００４１】
１…カムコーダ、２…テレビ受像機、３…ＨＤＭＩケーブル、１１…制御部、１２…レンズ制御部、１２ａ…レンズ、１３…撮像部、１４…表示部、１５…入力部、１５ａ…電源キー、１６…記憶部、１７…接続端子部、１８…制御部、１９…端子位置確認画面、２２…記憶部、２３…放送受信部、２４…表示部、２５…スピーカー部、２６…入力部、２７…接続端子部、２８…制御部、２９…端子位置確認画面。
【図１】
0005727748.tif 000002
【図２】
0005727748.tif 000003
【図３】
0005727748.tif 000004
【図４】
0005727748.tif 000005
【図５】
0005727748.tif 000006
【図６】
0005727748.tif 000007
【図７】
0005727748.tif 000008
【図８】
0005727748.tif 000009
【図９】
0005727748.tif 000010
【図１０】
0005727748.tif 000011
【図１１】
0005727748.tif 000012